(57)【特許請求の範囲】
【請求項１】
内部が仕切壁により複数のルアー収納部に区画されたケース本体と、このケース本体のルアー収納部を開閉する蓋体と、ルアー収納部の中央よりケース本体周壁に近い位置で、ルアー収納部内にケース本体の周壁側と底壁側に空間を設けて延設され、ルアーに取付けられた釣り針を掛ける釣り針係止部材とを備え、釣り針係止部材に釣り針を係止したルアーの胴体が底壁上に載置されるようにしたことを特徴とするルアーケース。
【請求項２】
前記仕切壁は前記釣り針係止部材に沿って移動可能であることを特徴とする請求項１に記載のルアーケース。
【請求項３】
前記蓋体は、釣り針係止部材に向けて突出する突部を有することを特徴とする請求項１または２に記載のルアーケース。
【発明の詳細な説明】
【０００１】
【発明の属する技術分野】
本発明は、魚釣用のルアーを収容するためのルアーケースに関する。
【０００２】
【従来の技術】
ルアーを釣り場に携行する場合は、直接手で携帯する場合を除き、蓋付きのケースに収容して釣人のポケットあるいはバッグに入れるのが一般的である。また、このようなケースで携行する場合には、複数のルアーをまとめて収納している。このように複数のルアーをまとめてケースに収納した場合には、ケース内でルアーが移動することにより、それぞれのルアーに設けられた釣り針が互いに絡み合う。このため、目的とするルアーを取り出すのに時間を要し、また、ルアー自体を損傷する虞もある。特開平８−２１４７４９号公報および実用新案登録第３０２６４１１号公報は、このようなルアーの釣り針を係止することにより、ルアーの移動を防止するルアーケースを開示する。
【０００３】
【発明が解決しようとする課題】
しかし、特開平８−２１４７４９号公報に記載のルアーケースは、多数の通し溝を形成した係止板をケース本体に接着固定し、これらの通し溝に釣り針のシャンクを挿通するものである。このため、濡れた釣り針を通し溝に差し込んでおくと、この部分から釣り針に錆が生じ易い。また、通し溝に釣り針を差し込んで収納して持ち歩いたりあるいはこれから取外す際、針先がこの係止板に当接又は引っ掛かり、これにより、針先が甘くなったり、あるいは欠けてしまう虞がある。
【０００４】
また、実用新案登録第３０２６４１１号公報に記載のルアーケースは、ルアーを係止可能な凹部を形成した板状のベイトラックを容器本体内に設け、閉蓋時に、これらの凹部を中皿の底部で塞いでルアーが外れるのを防止するものである。このため、釣り針がこの凹部内で移動することにより、針先が板状のベイトラックに当接しあるいは引っ掛かり、針先が甘くなったり、あるいは欠けてしまう虞がある。
【０００５】
本発明は、このような事情に基づいてなされたもので、ルアーの釣り針の損傷を防止し、複数のルアーを収容した場合でも、それぞれの釣り針の絡みを防止することのできるルアーケースを提供することを目的とする。
【０００６】
【課題を解決するための手段】
上記目的を達成する本発明のルアーケースは、内部が仕切壁により複数のルアー収納部に区画されたケース本体と、このケース本体のルアー収納部を開閉する蓋体と、ルアー収納部の中央よりケース本体周壁に近い位置で、ルアー収納部内にケース本体の周壁側と底壁側に空間を設けて延設され、ルアーに取付けられた釣り針を掛ける釣り針係止部材とを備え、釣り針係止部材に釣り針を係止したルアーの胴体が底壁上に載置されるようにしたことを特徴とする。
【０００７】
【発明の実施の形態】
図１から図５は、本発明の第１の実施形態によるルアーケース１０を示す。  図１および図２に示すように、本実施形態のルアーケース１０は、上部が開口しかつ後述するルアー８の釣り針６（図３〜図６参照）を収容可能な深さに形成した箱状のケース本体１２と、このケース本体の一側に、ヒンジ１４を介して一体に結合した蓋体１６とを備え、この蓋体１６を閉じたときに、ケース本体１２に設けた止め具１３と蓋体１６に設けた止め具１７とが互いに係合し、蓋体１６を閉位置に保持する。これらのケース本体１２と蓋体１６とは、金属、木材あるいは合成樹脂等の適宜の材料で形成でき、この開口部を開閉できるものであれば、必ずしもヒンジ１４で枢着することを要しない。これらのケース本体１２と蓋体１６とを完全に分離した構造に形成することも可能である。
【０００８】
ケース本体１２内には、金属、木材あるいは合成樹脂で形成した仕切壁１８が配置され、これらの仕切壁１８により、複数のルアー収納部２０が区画されている。更に、このルアー収納部２０に収容したルアー８の釣り針６を掛けるため、これらの仕切壁１８を貫通して例えば金属あるいは合成樹脂によりバー状に形成した細長い釣り針係止部材２２，２４が、延設されている。
【０００９】
これらの釣り針係止部材２２，２４は、ルアー収納部２０の中央よりそれぞれケース本体周壁の側壁１２ｃ，１２ｄ側に近い位置に設け、又、周壁から離隔すると共に、底壁１２ｅからも離隔させて開口部側に近い位置に延設されている。これらの釣り針係止部材２２，２４が側壁１２ｃ，１２ｄおよび底壁１２ｅから離隔する距離は、釣り針６を後述する態様で係止するのに必要な大きさに形成する。側壁１２ｃ，１２ｄとの距離は、例えばいかり針である釣り針６の１本の針先側を掛けたときに、他の針先を配置できる大きさとし、例えば１ｍｍ〜３０ｍｍが好ましく、底壁１２ｅとの距離は、シャンク６ａを底壁に対して垂直に配置した状態で針先６ｂを自由に挿通できる大きさ、例えば５ｍｍ〜１００ｍｍとするのが好ましい。これらの釣り針係止部材２２，２４は、両端部をケース本体周壁の端壁１２ａ，１２ｂで支えられている。なお、これらの釣り針係止部材の径は、後述するように釣り針６を掛けたときに、釣り針６の返し部が接触しない大きさとするのが好ましい。
【００１０】
この釣り針係止部材２２，２４は、例えば少なくとも一方の端壁１２ａ，１２ｂを貫通する孔から挿入して、これらの端部を端壁１２ａ，１２ｂで支えることも可能であるが、図２に示すように内側に開口する２つの非貫通穴あるいは溝で支えることも可能である。特に、ケース本体１２を合成樹脂等の弾性部材で形成する場合には、端壁１２ａ，１２ｂを互いに離隔する方向に広げることにより、この釣り針係止部材２２，２４の端部を、非貫通穴に容易に嵌合させることができる。
【００１１】
本実施形態では、各仕切壁１８をケース本体１２と別部材で形成し、図１および図２に鎖線で例示する仕切壁１８ａのように、ルアー係止部材２２，２４に沿って移動することにより、ルアー収納部２０の幅を収納するルアーの大きさ等に合わせて適宜に調整することができる。この場合、これらの仕切壁１８は、その全部を移動可能とすることに代えて一部のみを移動可能としてもよい。また、ルアー収納部２０内に収容したルアー８の移動を抑制できるものであれば、仕切壁１８がケース本体の底壁１２ｅに当接するものでなくともよい。更に、ケース本体１２の側壁１２ｃ，１２ｄの内面には、仕切壁１８の両端を位置決めするための図示しない溝あるいは突起を設けてもよく、一方、釣り針係止部材２２，２４が仕切壁１８を所要位置に保持できる場合には、これらの仕切壁１８の端部を側壁１２ｃ，１２ｄに当接させることを要しない。また、釣り針係止部材２２，２４は仕切壁１８で保持し、ケース本体１２で支持しなくてもよい。
【００１２】
一方、蓋体１６の内面には、釣り針係止部材２２，２４と対応した位置に突部２６，２８が延設されている。これらの突部は、ゴムあるいは合成樹脂等の軟質材料で形成し、この蓋体１６を閉じたときに、図５に示すように、釣り針係止部材２２，２４上に釣り針６を弾力的に押圧することが好ましい。
【００１３】
このルアーケース１０にルアー８を収容する場合は、次のように行う。
図３から図５に示すように、ヒンジ１４を中心としてケース本体１２から蓋体１６を引起し、ケース本体１２のルアー収納部２０を開放する。ルアー８の釣り針６を下側にして、この釣り針６を釣り針係止部材２２，２４間からルアー収納部２０内に挿入し、釣り針係止部材２２，２４の一方に向けて移動する。この釣り針６が、シャンク６ａと１つの針先６ｂとの間に形成されるふところ６ｃ内に、図示の実施形態では丸棒状の釣り針係止部材２２を受入れた状態で引っ掛けて、ルアー８の胴体を図３に矢印Ｄで示すように回動させてルアー収納部２０内に移動する。このとき、ルアー８の釣り針６が釣り針係止部材２２から外れないように、特にその初期の段階で張り状態を保持するのが好ましい。ルアー８の胴体は、図４に示すように、釣り針６を係止した釣り針係止部材２２と反対側に向けて底壁１２ｅ上に載置される。このルアー８の収容において、釣り針６が釣り針係止部材２２，２４の周囲を回動することとなるため、釣り針係止部材２２，２４のそれぞれの側壁１２ｄ，１２ｃ側と底壁１２ｅ側に空間を設けて釣り針６の係止操作を容易にしている。
【００１４】
ルアー８がルアー収納部２０内で底壁１２ｅ上に載置されると、この釣り針６が止め環４を介してフックハンガ８ａに揺動自在に連結されているため、釣り針６は釣り針係止部材２２に引掛けられた状態で、その自重により、この釣り針係止部材から垂れ下がり、ルアー８が保持されて、他のルアーの釣り針とからみにくくなる。針先６ｂは内側を向き、釣り針係止部材２２の径がこの釣り針６のふところ６ｃに収まる大きさに形成されているため、針先６ｂが傷付くことはない。又、釣り針係止部材２２，２４に係止された釣り針６はふところ６ｃを有する湾曲部からシャンク６ａにかけてケース本体の周面の側壁１２ｄ，１２ｃ側と底壁１２ｅ側に設けた空間に収まり、ルアー８の重さにより、下方に引かれながら係止されているため、振動を受けても釣り針６は釣り針係止部材２２，２４の周囲を回動するように振れて脱落しにくい。
【００１５】
このように所要のルアー８をルアー収納部２０内に収容した後、ヒンジ１４を中心として蓋体１６を回動し、ケース本体１２の開口したがってルアー収容部２０を閉じる。これにより、弾性材料で形成した突部２６と釣り針係止部材２２との間に釣り針６が保持される。この際、図５に示すように、突部２６が釣り針６に直接接触することにより、ルアー８がルアー収納部２０内で移動しても、釣り針６の振れ回りあるいは移動を防止し、これにより釣り針６が釣り針係止部材２２から外れるのを確実に防止することが可能である。
【００１６】
なお、突部２６が釣り針６に接触しない場合であっても、釣り針６が釣り針係止部材２２から外れるのを防止できる程度であれば、突部２６と釣り針６との間に僅かな間隙を設けることも可能である。この場合には、突部２６を省略し、蓋体１６だけで釣り針６の移動を規制することも可能である。釣り針６が乾燥し易く、したがって錆びの発生を抑制することができる。
【００１７】
このように形成されたルアーケース１０は、ルアー８自体が狭いルアー収納部２０内で動きを規制されると共に、その釣り針６が細長い棒状（バー状）の釣り針係止部材２２に掛けられ、蓋体１６で動きを規制されるため、ルアーケース１０が大きく揺れあるいは振動しても釣り針６が釣り針係止部材２２に保持される。したがって、複数のルアー８を同じルアー収納部２０内に収納した状態でも、これらのルアーの釣り針６が互いに絡み合うことはなく、迅速かつ安全にルアーケース１０からルアー８を取出すことができる。
【００１８】
勿論、他方の釣り針係止部材２４に釣り針６を掛ける場合も同様であり、この場合には突部２８で釣り針６の移動が規制される。また、仕切壁１８を移動し、ルアー収納部２０をルアー８の大きさ等に応じた幅に調整することにより、ルアー８の胴体自体の動きを規制することができる。
【００１９】
なお、図６に示す釣り針係止部材２２のように、釣り針６を落しこむ凹部２３を適宜の位置に形成することも可能である。この場合にも、仕切壁１８はこの釣り針係止部材２２に沿って移動することができる。この際、凹部２３の反対側から突出する湾曲部は仕切壁１８の移動範囲を定めるストッパとして作用させることもできる。また、このような波状構造は釣り針係止部材２２，２４の一方にのみ形成し、あるいは双方に形成することも可能である。
【００２０】
図７から図９は、本発明の第２の実施形態によるルアーケース１０Ａを示す。以下の実施形態では、上述の実施形態と同様な部位には同様な符号を付し、その詳細な説明を省略する。
本実施形態のルアーケース１０Ａは、仕切壁１８と釣り針係止部材３２とが一体構造に形成されている。具体的には、複数の仕切壁１８を一端側で一体的に連結する薄板状の補助カバー部材３０に、釣り針６の針先６ｂ（図３）を挿入するための長円状あるいは楕円状の孔３１を形成し、ルアー収納部２０の開口に近接する補助カバー部材３０の縁部とこの孔３１との間に形成される細長い部分で板形棒状（バー状）の釣り針係止部材３２を形成してある。又、釣り針係止部材３２は、側壁（周面）１２ｄと底壁１２ｅから離隔されて空間が形成されている。
【００２１】
この補助カバー部材３０と仕切壁１８とは、ケース本体１２と別部材で形成されているため、これらの補助カバー部材３０を、図示のように側壁１２ｄに近接する位置と、これとは反対側の側壁１２ｃに近接する位置とに自由に入れ換えることも可能である。なお、このような補助カバー部材３０を仕切壁１８の両端側に設けることも可能である。
【００２２】
このルアーケース１０Ａにルアー８を収容する場合は、上述の実施形態と同様に、ルアーの釣り針６をケース本体１２のルアー収納部内から孔３１に挿通し、釣り針係止部材３２に引っ掛けることで行うことができる。釣り針係止部材３２に掛けられた釣り針６の移動が、孔３１および蓋体１６で規制されていることで、複数のルアー８を同じルアー収納部２０内に収納した状態でも、これらのルアーの釣り針６が互いに絡み合うことはなく、迅速かつ安全にルアーケース１０Ａからルアー８を取出すことができる。尚、孔３１の形状は楕円形状に限らず、円形状、四角形状等他の形状、大きさとすることができる。
【００２３】
図１０から図１３は、第３の実施形態によるルアーケース１０Ｂを示す。
本実施形態のルアーケース１０Ｂは、仕切壁１８および釣り針係止部材４２をケース本体１２と一体的に形成したものである。このルアーケース１０Ｂは、特に合成樹脂で形成する場合に有益である。
【００２４】
図１１に示すように、本実施形態の釣り針係止部材４２は、各ルアー収納部２０毎にケース本体の側壁１２ｃの頂部から外方に突出させた一対の腕部４０の間に延在する薄肉構造を有し、側壁１２ｃとの間に釣り針６の針先６ｂを挿通するための孔４１を形成する。これらの一対の腕部４０の間隔すなわち釣り針係止部材４２の長さはルアー収納部２０の幅より狭くしたが、適宜に設定可能である。ルアー収納部２０の有効利用を図るために、釣り針係止部材４１の長さをルアー収納部２０の幅と同じに形成することもできる。この場合には、腕部４０を、仕切壁１８およびケース本体の端壁１２ａ，１２ｂと重なるように形成することもできる。一方、これとは逆に、腕部４０間の間隔を狭く形成し、各ルアー収納部２０毎に１あるいは複数の釣り針係止部材４２を設けることも可能である。
【００２５】
このルアーケース１０Ｂを使用する場合は、腕部４０および釣り針係止部材４２を図１１に矢印で示すように回動して、ケース本体１２の内側に配置する。腕部４０が側壁１２ｃで支えられるため、釣り針係止部材４２は、図１２に示すように、ケース本体１２の頂部に近接した位置に保持される。更に、本実施形態では、図１３に示すように、蓋体１６の外面側から内面側に向けて蓋体１６と一体の突部４６突出させてあり、この突部４６が、釣り針係止部材４２の弾力に抗して釣り針６を支え、脱落を防止することができる。突部４６が蓋体１６と一体構造に形成されているため、蓋体１６の剛性が増大する。
【００２６】
なお、本発明は上述の実施形態のいずれかに限定されるものではなく、必要に応じて各部材を適宜に組合せて用いることが可能なことは明らかである。例えば、図１１に示す釣り針係止部材４２のように、腕部４０と共にケース本体１２の外側から内側に折り曲げることに代え、当初からケース本体１２の内側に形成してもよい。
【００２７】
【発明の効果】
以上明らかなように、本発明のルアーケースによれば、ルアーの釣り針の損傷を防止し、複数のルアーを収容した場合でも、ルアー収納部内で動きが規制され、それぞれの釣り針の絡みを防止することができる。
【図面の簡単な説明】
【図１】本発明の好ましい実施形態によるルアーケースの内部構造を示す平面図。
【図２】図１のＩＩ−ＩＩ線に沿う断面図。
【図３】図１のルアーケースにルアーを収納する状態の説明図。
【図４】図３の状態からルアーをルアーケース内に載置した状態の説明図。
【図５】図１の蓋体を閉じたときの内部状態を示す説明図。
【図６】釣り針係止部材の変形例を示す図２と同様な断面図。
【図７】第２の実施形態によるルアーケースの内部構造を示す平面図。
【図８】図７のＶＩＩＩ−ＶＩＩＩ線に沿う断面図。
【図９】図７のルアーケースにルアーを収納した状態の説明図。
【図１０】第３の実施形態によるルアーケースの内部構造を示す平面図。
【図１１】図１０のＸＩ−ＸＩ線に沿う断面図。
【図１２】図１０のルアーケースにルアーを収納した状態の説明図。
【図１３】図１０の蓋体を閉じたときの内部構造を示す説明図。
【符号の説明】
１０…ルアーケース、１２…ケース本体、１６…蓋体、２０…ルアー収納部、２２…釣り針係止部材。
【図１】
0003814539.tif 000002
【図２】
0003814539.tif 000003
【図３】
0003814539.tif 000004
【図４】
0003814539.tif 000005
【図５】
0003814539.tif 000006
【図６】
0003814539.tif 000007
【図７】
0003814539.tif 000008
【図８】
0003814539.tif 000009
【図９】
0003814539.tif 000010
【図１０】
0003814539.tif 000011
【図１１】
0003814539.tif 000012
【図１２】
0003814539.tif 000013
【図１３】
0003814539.tif 000014